(57)【特許請求の範囲】
【請求項１】
ケーブル等の布設経路に配設されるケーブル・管収納材であって、
当該収納材の内部の長手方向に連続して設けられて、前記ケーブル等を収納する複数の収納路と、
これら複数の収納路へ前記ケーブル等を布設するための布設具を移動可能とする案内路と、
この案内路の長手方向に沿って連続して形成された複数のスリットとを有し、
前記複数の収納路のうち各々の収納路と前記案内路とは、それぞれ１つのスリットを介して相互に連通し、
当該収納材は筒体からなり、前記収納路及び案内路は、当該筒体の内側面に設けた仕切壁によって構成してなることを特徴とするケーブル・管収納材。
【請求項２】
ケーブル等の布設経路に配設されるケーブル・管収納材であって、
当該収納材の内部の長手方向に連続して設けられて、前記ケーブル等を収納する複数の収納路と、
これら複数の収納路へ前記ケーブル等を布設するための布設具を移動可能とする案内路と、
この案内路の長手方向に沿って連続して形成された複数のスリットとを有し、
前記複数の収納路のうち全ての収納路と前記案内路とは、各々の収納路毎に形成した１つのスリットを介して相互に連通し、
当該収納材は筒体からなり、前記収納路及び案内路は、当該筒体の内側面に設けた仕切壁によって構成してなることを特徴とするケーブル・管収納材。
【請求項３】
ケーブル等の布設経路に配設されるケーブル・管収納材であって、
当該収納材の内部の長手方向に連続して設けられて、前記ケーブル等を収納する複数の収納路と、
これら複数の収納路へ前記ケーブル等を布設するための布設具を移動可能とする案内路と、
この案内路の長手方向に沿って連続して形成された複数のスリットとを有し、
前記複数の収納路のうち各々の収納路と前記案内路とは、それぞれ１つのスリットを介して相互に連通し、
当該収納材は筒体からなり、当該筒体の内部の長手方向に連続して設けられて、該収納材を地中に埋設した際に生じる土圧を支持する支持部材を設けたことを特徴とするケーブル・管収納材。
【請求項４】
ケーブル等の布設経路に配設されるケーブル・管収納材であって、
当該収納材の内部の長手方向に連続して設けられて、前記ケーブル等を収納する複数の収納路と、
これら複数の収納路へ前記ケーブル等を布設するための布設具を移動可能とする案内路と、
この案内路の長手方向に沿って連続して形成された複数のスリットとを有し、
前記複数の収納路のうち全ての収納路と前記案内路とは、各々の収納路毎に形成した１つのスリットを介して相互に連通し、
当該収納材は筒体からなり、当該筒体の内部の長手方向に連続して設けられて、該収納材を地中に埋設した際に生じる土圧を支持する支持部材を設けたことを特徴とするケーブル・管収納材。
【請求項５】
収納材と布設具とからなるケーブル・管布設装置であって、
前記収納材は筒体からなり、当該筒体内部の長手方向に連設されてケーブル等を収納する複数の収納路と、これら複数の収納路へ前記ケーブル等を布設するための前記布設具を移動可能とする案内路と、この案内路の長手方向に沿って連続して形成された複数のスリットとを有し、前記収納路及び案内路は、当該筒体の内側面に設けた仕切壁によって構成され、前記複数の収納路のうち各々の収納路と前記案内路とは、それぞれ１つのスリットを介して相互に連通しており、
前記布設具は、前記案内路に挿通可能な剛性を有する長尺ロープと、該ロープとケーブル等とを連結する連結部とを有することを特徴とするケーブル・管布設装置。
【請求項６】
収納材と布設具とからなるケーブル・管布設装置であって、
前記収納材は筒体からなり、当該筒体内部の長手方向に連設されてケーブル等を収納する複数の収納路と、これら複数の収納路へ前記ケーブル等を布設するための前記布設具を移動可能とする案内路と、この案内路の長手方向に沿って連続して形成された複数のスリットとを有し、前記収納路及び案内路は、当該筒体の内側面に設けた仕切壁によって構成され、前記複数の収納路のうち全ての収納路と前記案内路とは、各々の収納路毎に形成した１つのスリットを介して相互に連通しており、
前記布設具は、前記案内路に挿通可能な剛性を有する長尺ロープと、該ロープとケーブル等とを連結する連結部とを有することを特徴とするケーブル・管布設装置。
【請求項７】
収納材と布設具とからなるケーブル・管布設装置であって、
前記収納材は筒体からなり、当該筒体内部の長手方向に連設されてケーブル等を収納する複数の収納路と、これら複数の収納路へ前記ケーブル等を布設するための前記布設具を移動可能とする案内路と、この案内路の長手方向に沿って連続して形成された複数のスリットと、当該筒体の内部の長手方向に連続して設けられて、該収納材を地中に埋設した際に生じる土圧を支持する支持部材とを有し、前記複数の収納路のうち各々の収納路と前記案内路とは、それぞれ１つのスリットを介して相互に連通しており、
前記布設具は、前記案内路に挿通可能な剛性を有する長尺ロープと、該ロープとケーブル等とを連結する連結部とを有することを特徴とするケーブル・管布設装置。
【請求項８】
収納材と布設具とからなるケーブル・管布設装置であって、
前記収納材は筒体からなり、当該筒体内部の長手方向に連設されてケーブル等を収納する複数の収納路と、これら複数の収納路へ前記ケーブル等を布設するための前記布設具を移動可能とする案内路と、この案内路の長手方向に沿って連続して形成された複数のスリットと、当該筒体の内部の長手方向に連続して設けられて、該収納材を地中に埋設した際に生じる土圧を支持する支持部材とを有し、前記複数の収納路のうち全ての収納路と前記案内路とは、各々の収納路毎に形成した１つのスリットを介して相互に連通しており、
前記布設具は、前記案内路に挿通可能な剛性を有する長尺ロープと、該ロープとケーブル等とを連結する連結部とを有することを特徴とするケーブル・管布設装置。
【請求項９】
請求項５から請求項８の何れかに記載のケーブル・管布設装置において、
前記連結部は、１又は２以上の突片により構成され、この１又は２以上の突片は、前記収納材内部の案内路と収納路とを相互に連通して形成されたスリットに沿って移動することを特徴とするケーブル・管布設装置。
【請求項１０】
請求項９に記載のケーブル・管布設装置において、
前記布設具に係る連結部の突片は、収納材の内部に穿設されたスリットの数及び配置に対応させた数及び配置にて、立設することを特徴とするケーブル・管布設装置。
【請求項１１】
請求項５から請求項９の何れかに記載のケーブル・管布設装置において、
布設具の連結部は、長尺ロープから着脱自在であることを特徴とするケーブル・管布設装置。
【発明の詳細な説明】
【０００１】
【発明の属する技術分野】
本発明は、主に、地中に埋設される管又はケーブルの配管・配線を収納する複数の収納路を備えた「管・ケーブル収納材」等に関し、特に、一度の布設作業で複数の収納路にケーブル等を布設することが可能な「管・ケーブル収納材」等に関するものである。
【０００２】
【従来の技術】
管（電線管，給排水湯管・ガス管等の流体管，前記流体管を保護する保護管等）又はケーブル（電力ケーブル，通信ケーブル等）など（以下、「ケーブル等」とする）を、地中に埋設して布設する際には、当該ケーブル等の損傷や埋設される土壌への影響を最小限に抑える必要がある。このような場合、コンクリートや合成樹脂等により形成された「収納材」を地中へ埋設し、かかる後に、当該収納材の内部の長手方向に連設された「収納路」へ前記ケーブル等を収納させることにより、ケーブル等を地中に布設することが一般的に行われている。
【０００３】
しかし、上記ケーブル等の布設は長距離に亘って行われるため、それに伴って、当該ケーブル等を収納する上記収納材の長手方向への寸法も必然的に長大化することとなり、前記ケーブル等を前記布設路へ布設することも困難となってしまうという問題が発生する。
【０００４】
このような問題の解決を図るべく、出願人は実開平６−６５２９０公報において、収納路へケーブル等の布設が容易且つ確実に行える「管・ケーブル収納材」に係る技術を提案している。この公報に記載された技術に係る「管・ケーブル収納材」は、図２４に示すように、その内部に複数の「収納路」及び「案内路」を備えたものである。この「管・ケーブル収納材」は、図２５に示すように、収納路内の既設の管又はケーブルに阻害されることなく、当該収納路内に剛性を備えたロープからなる布設具を容易に送り込むことができ、管又はケーブルの布設作業を効率よく行なうことができるという点では、極めて有効な技術である。
【０００５】
然るに、上記公報に記載の「管・ケーブル収納材」は、図２５に示すように、布設具を挿通させる「案内路」を、ケーブル等を収納させる「収納路」毎に独立させているため、「収納路」ごとに布設具を挿通させて、ケーブル等を布設する必要があった。
【０００６】
そのため、前記「収納路」が多数に及ぶ収納材に対しては、ケーブル等の布設作業に大変な手間と時間を要するという問題があった。
【０００７】
また、上記公報に記載の技術は、「案内路」を「収納路」毎に設ける必要があるので、構造が複雑となってしまうという問題もあった。
【０００８】
さらに、上記公報に記載の技術は、収納路内に案内路が設置されているため、当該案内路により前記収納路内の空間が侵食されてしまい、当該収納路の空間を最大限に利用することが困難であるという問題もある。
【０００９】
本発明は、これらの問題を解決するためになされたものであり、その解決しようとする課題は、以下に示すものである。
【００１０】
【発明の解決しようとする課題】
即ち本発明によれば、収納材の内部の「収納路」へケーブル等を布設する際には、一度、布設具を「案内路」へ挿通されることのみを以て、「複数の収納路」に対し、ケーブル等（ケーブル等を引き込むためのロープを含む）を、布設することが可能となるのである。
【００１１】
【課題を解決するための手段】
上記課題を解決すべく本発明の採った手段を、以下に説明する。
【００１２】
まず請求項１に係る発明は、ケーブル等の布設経路に配設されるケーブル・管収納材１０であって、当該収納材１０の内部の長手方向に連続して設けられて、前記ケーブル等を収納する複数の収納路１１と、これら複数の収納路１１へ前記ケーブル等を布設するための布設具２０を移動可能とする案内路１２と、この案内路１２の長手方向に沿って連続して形成された複数のスリット１３とを有し、前記複数の収納路１１のうち各々の収納路１１と前記案内路１１とは、それぞれ１つのスリット１３を介して相互に連通し、当該収納材１０は筒体からなり、前記収納路１１及び案内路１２は、当該筒体の内側面に設けた仕切壁１４によって構成してなることを特徴とするものである。
【００１３】
即ちこの請求項１に係る発明のケーブル・管収納材１０は、ケーブル等を収納させるための「収納路１１」と、別部材に係る布設具２０を移動させるための「案内路１２」と、前記布設具２０の「突片２３」を摺動させるための「スリット１３」とを有するものである。
【００１４】
前記「スリット１３」は、「案内路１２」の長手方向に亘って連続して形成され、当該「案内路１２」と複数の「収納路１１」とを相互に連通させて、別部材に係る「布設具２０」の端部に設けられる「突片２３」を移動可能とするものであり、当該「突片２３」は、その外端部が前記スリット１３を介して「収納路１１」へ突出することとなる。そのため、前記「案内路１２」へ別部材に係る布設具２０を挿通させ移動させることによって、前記「突片２３」は「スリット１３」に沿って摺動するとともに、当該「突片２３」の外端部は「収納路１１」上を移動することとなる。このとき、前記布設具２０には「複数の突片２３」が設けられているため、これら各々の突片２３が、収納材１０の「スリット１３」へそれぞれ進入することとなる。そのため、複数の前記「突片２３」の外端部にケーブル等（ケーブル等を引き込むためのロープを含む。以下同じ。）を連結させた上で別部材に係る布設具２０を挿通乃至移動させることにより、一度の布設作業で複数の前記「収納路１１」上にケーブル等を引き込むことが可能となるのである。
【００１５】
請求項２に係る発明は、ケーブル等の布設経路に配設されるケーブル・管収納材１０であって、当該収納材１０の内部の長手方向に連続して設けられて、前記ケーブル等を収納する複数の収納路１１と、これら複数の収納路１１へ前記ケーブル等を布設するための別部材に係る布設具２０を移動可能とする案内路１２と、この案内路１２の長手方向に沿って連続して形成された複数のスリット１３とを有し、前記複数の収納路１１のうち全ての収納路１１と前記案内路１２とは、各々の収納路１１毎に形成した１つのスリット１３を介して相互に連通し、当該収納材１０は筒体からなり、前記収納路１１及び案内路１２は、当該筒体の内側面に設けた仕切壁１４によって構成してなることを特徴とするものである。
【００１６】
即ちこの請求項２に係る発明のケーブル・管収納材１０は、ケーブル等を収納させるための「収納路１１」と、別部材に係る布設具２０を移動させるための「案内路１２」と、前記布設具２０の「突片２３」を摺動させるための「スリット１３」とを有するものである。
【００１７】
前記「スリット１３」は、「案内路１２」の長手方向に亘って連続して形成され、当該「案内路１２」と「全ての収納路１１」とを相互に連通させて、別部材に係る「布設具２０」の端部に設けられる「突片２３」を移動可能とするものであり、当該「突片２３」は、その外端部が前記スリット１３を介して「収納路１１」へ突出することとなる。そのため、前記「案内路１２」へ別部材に係る布設具２０を挿通させ移動させることによって、前記「突片２３」は「スリット１３」に沿って摺動するとともに、当該「突片２３」の外端部は「収納路１１」上を移動することとなる。このとき、前記布設具２０には、収納材１０に設けられた「スリット１３」の数と同数の「突片２３」が設けられており、これら各々の突片２３が、収納材１０の各々の「スリット１３」へそれぞれ進入することとなる。そのため、複数の前記「突片２３」の外端部にケーブル等を連結させた上で別部材に係る布設具２０を挿通乃至移動させることにより、一度の布設作業で全ての「収納路１１」上にケーブル等を引き込むことが可能となるのである。
【００１８】
請求項３に係る発明は、ケーブル等の布設経路に配設されるケーブル・管収納材１０であって、当該収納材１０の内部の長手方向に連続して設けられて、前記ケーブル等を収納する複数の収納路１１と、これら複数の収納路１１へ前記ケーブル等を布設するための布設具２０を移動可能とする案内路１２と、この案内路１２の長手方向に沿って連続して形成された複数のスリット１３とを有し、前記複数の収納路１１のうち各々の収納路１１と前記案内路１２とは、それぞれ１つのスリット１３を介して相互に連通し、当該収納材１０は筒体からなり、当該筒体の内部の長手方向に連続して設けられて、該収納材１０を地中に埋設した際に生じる土圧を支持する支持部材１５を設けたことを特徴とするものである。
【００１９】
即ちこの請求項３に係る発明のケーブル・管収納材１０は、ケーブル等を収納させるための「収納路１１」と、別部材に係る布設具２０を移動させるための「案内路１２」と、前記布設具２０の「突片２３」を摺動させるための「スリット１３」と、当該収納材１０を地中に埋設した際に生じる土圧を支持する「支持部材１５」とを有するものである。
【００２０】
前記「スリット１３」は、「案内路１２」の長手方向に亘って連続して形成され、当該「案内路１２」と複数の「収納路１１」とを相互に連通させて、別部材に係る「布設具２０」の端部に設けられる「突片２３」を移動可能とするものであり、当該「突片２３」は、その外端部が前記スリット１３を介して「収納路１１」へ突出することとなる。そのため、前記「案内路１２」へ別部材に係る布設具２０を挿通させ移動させることによって、前記「突片２３」は「スリット１３」に沿って摺動するとともに、当該「突片２３」の外端部は「収納路１１」上を移動することとなる。このとき、前記布設具２０には「複数の突片２３」が設けられているため、これら各々の突片２３が、収納材１０の「スリット１３」へそれぞれ進入することとなる。そのため、複数の前記「突片２３」の外端部にケーブル等（ケーブル等を引き込むためのロープを含む。以下同じ。）を連結させた上で別部材に係る布設具２０を挿通乃至移動させることにより、一度の布設作業で複数の前記「収納路１１」上にケーブル等を引き込むことが可能となるのである。更に、支持部材１５を装着することにより、収納材１０を地中に埋設した際に、土圧によって収納材１０が圧潰してしまうことを防止することが可能となるのである。
【００２１】
請求項４に係る発明は、ケーブル等の布設経路に配設されるケーブル・管収納材１０であって、当該収納材１０の内部の長手方向に連続して設けられて、前記ケーブル等を収納する複数の収納路１１と、これら複数の収納路１１へ前記ケーブル等を布設するための布設具２０を移動可能とする案内路１２と、この案内路１２の長手方向に沿って連続して形成された複数のスリット１３とを有し、前記複数の収納路１１のうち全ての収納路１１と前記案内路１２とは、各々の収納路毎に形成した１つのスリット１３を介して相互に連通し、当該収納材１０は筒体からなり、当該筒体の内部の長手方向に連続して設けられて、該収納材１０を地中に埋設した際に生じる土圧を支持する支持部材１５を設けたことを特徴とするものである。
【００２２】
即ちこの請求項４に係る発明のケーブル・管収納材１０は、ケーブル等を収納させるための「収納路１１」と、別部材に係る布設具２０を移動させるための「案内路１２」と、前記布設具２０の「突片２３」を摺動させるための「スリット１３」とを有するものである。
【００２３】
前記「スリット１３」は、「案内路１２」の長手方向に亘って連続して形成され、当該「案内路１２」と「全ての収納路１１」とを相互に連通させて、別部材に係る「布設具２０」の端部に設けられる「突片２３」を移動可能とするものであり、当該「突片２３」は、その外端部が前記スリット１３を介して「収納路１１」へ突出することとなる。そのため、前記「案内路１２」へ別部材に係る布設具２０を挿通させ移動させることによって、前記「突片２３」は「スリット１３」に沿って摺動するとともに、当該「突片２３」の外端部は「収納路１１」上を移動することとなる。このとき、前記布設具２０には、収納材１０に設けられた「スリット１３」の数と同数の「突片２３」が設けられており、これら各々の突片２３が、収納材１０の各々の「スリット１３」へそれぞれ進入することとなる。そのため、複数の前記「突片２３」の外端部にケーブル等を連結させた上で別部材に係る布設具２０を挿通乃至移動させることにより、一度の布設作業で全ての「収納路１１」上にケーブル等を引き込むことが可能となるのである。更に、支持部材１５を装着することにより、収納材１０を地中に埋設した際に、土圧によって収納材１０が圧潰してしまうことを防止することが可能となるのである。
【００２４】
請求項５に係る発明は、収納材１０と布設具２０とからなるケーブル・管布設装置であって、前記収納材１０は筒体からなり、当該筒体内部の長手方向に連設されてケーブル等を収納する複数の収納路１１と、これら複数の収納路１１へ前記ケーブル等を布設するための前記布設具２０を移動可能とする案内路１２と、この案内路１２の長手方向に沿って連続して形成された複数のスリット１３とを有し、前記収納路１１及び案内路１２は、当該筒体の内側面に設けた仕切壁１４によって構成され、前記複数の収納路１１のうち各々の収納路１１と前記案内路１２とは、それぞれ１つのスリット１３を介して相互に連通しており、前記布設具２０は、前記案内路１２に挿通可能な剛性を有する長尺ロープ２１と、該ロープとケーブル等とを連結する連結部とを有することを特徴とするものである。
【００２５】
この請求項５に係る発明の「ケーブル・管布設装置１００」は、「収納材１０」と「布設具２０」とからなるものである。前記収納材１０は、その内部に「収納路１１」と「案内路１２」が形成されており、これら収納路１１と案内路１２とは、相互に「スリット１３」によって連通している。即ち、「案内路１２」の長手方向に亘って連続して「スリット１３」が形成され、当該「案内路１２」と複数の「収納路１１」とを相互に連通させているのである。
【００２６】
一方「布設具２０」は、「長尺ロープ２１」と「連結部２２」とを有するものである。この連結部２２は、長尺ロープ２１の端部に設けられ、当該長尺ロープ２１とケーブル等とを相互に連結させるものである。すなわち、ケーブル等が連結された布設具２０を収納材１０の内部に挿通させた場合には、案内路１２内にある長尺ロープ２１と収納路１１内にあるケーブル等とが、スリット１３を介して連結されることとなる。そのため、この案内路１２内にある長尺ロープ２１を移動させた際には、それに伴って前記ケーブル等が収納路１１内において牽引されることとなるのである。
【００２７】
本請求項に係る発明によれば、布設具２０に係る連結部２２によって長尺ロープ２１とケーブル等とを連結し、前記布設具２０を収納材１０内部の案内路１２へ挿通させて、前記ケーブル等を「少なくとも２つの収納路１１」のそれぞれに布設することが可能となるものである。
【００２８】
請求項６に係る発明は、収納材１０と布設具２０とからなるケーブル・管布設装置であって、前記収納材１０は筒体からなり、当該筒体内部の長手方向に連設されてケーブル等を収納する複数の収納路１１と、これら複数の収納路１１へ前記ケーブル等を布設するための前記布設具２０を移動可能とする案内路１２と、この案内路１２の長手方向に沿って連続して形成された複数のスリット１３とを有し、前記収納路１１及び案内路１２は、当該筒体の内側面に設けた仕切壁１４によって構成され、前記複数の収納路１１のうち全ての収納路１１と前記案内路１２とは、各々の収納路毎に形成した１つのスリット１３を介して相互に連通しており、前記布設具２０は、前記案内路１２に挿通可能な剛性を有する長尺ロープ２１と、該ロープとケーブル等とを連結する連結部とを有することを特徴とするものである。
【００２９】
この請求項６に係る発明の「ケーブル・管布設装置１００」は、「収納材１０」と「布設具２０」とからなるものである。前記収納材１０は、その内部に「収納路１１」と「案内路１２」が形成されており、これら収納路１１と案内路１２とは、相互に「スリット１３」によって連通している。即ち、「案内路１２」の長手方向に亘って連続して「スリット１３」が形成され、当該「案内路１２」と複数の「収納路１１」の全てとを相互に連通させているのである。
【００３０】
一方「布設具２０」は、「長尺ロープ２１」と「連結部２２」とを有するものである。この連結部２２は、長尺ロープ２１の端部に設けられ、当該長尺ロープ２１とケーブル等とを相互に連結させるものである。すなわち、ケーブル等が連結された布設具２０を収納材１０の内部に挿通させた場合には、案内路１２内にある長尺ロープ２１と収納路１１内にあるケーブル等とが、スリット１３を介して連結されることとなる。そのため、この案内路１２内にある長尺ロープ２１を移動させた際には、それに伴って前記ケーブル等が収納路１１内において牽引されることとなるのである。
【００３１】
本請求項に係る発明によれば、布設具２０に係る連結部２２によって長尺ロープ２１とケーブル等とを連結し、前記布設具２０を収納材１０内部の案内路１２へ挿通させて、前記ケーブル等を「全ての収納路１１」のそれぞれに布設することが可能となるものである。
【００３２】
請求項７に係る発明は、収納材１０と布設具２０とからなるケーブル・管布設装置であって、前記収納材１０は筒体からなり、当該筒体内部の長手方向に連設されてケーブル等を収納する複数の収納路１１と、これら複数の収納路１１へ前記ケーブル等を布設するための前記布設具２０を移動可能とする案内路１２と、この案内路１２の長手方向に沿って連続して形成された複数のスリット１３と、当該筒体の内部の長手方向に連続して設けられて、該収納材１０を地中に埋設した際に生じる土圧を支持する支持部材１５とを有し、前記複数の収納路１１のうち各々の収納路１１と前記案内路１２とは、それぞれ１つのスリット１３を介して相互に連通しており、前記布設具２０は、前記案内路１２に挿通可能な剛性を有する長尺ロープ２１と、該ロープとケーブル等とを連結する連結部とを有することを特徴とするものである。
【００３３】
この請求項７に係る発明の「ケーブル・管布設装置１００」は、「収納材１０」と「布設具２０」とからなるものである。前記収納材１０は、その内部に「収納路１１」と「案内路１２」と、当該収納材１０を地中に埋設した際に生じる土圧を支持する「支持部材１５」とが形成されており、前記収納路１１と案内路１２とは、相互に「スリット１３」によって連通している。即ち、「案内路１２」の長手方向に亘って連続して「スリット１３」が形成され、当該「案内路１２」と複数の「収納路１１」とを相互に連通させているのである。
【００３４】
一方「布設具２０」は、「長尺ロープ２１」と「連結部２２」とを有するものである。この連結部２２は、長尺ロープ２１の端部に設けられ、当該長尺ロープ２１とケーブル等とを相互に連結させるものである。すなわち、ケーブル等が連結された布設具２０を収納材１０の内部に挿通させた場合には、案内路１２内にある長尺ロープ２１と収納路１１内にあるケーブル等とが、スリット１３を介して連結されることとなる。そのため、この案内路１２内にある長尺ロープ２１を移動させた際には、それに伴って前記ケーブル等が収納路１１内において牽引されることとなるのである。
【００３５】
本請求項に係る発明によれば、布設具２０に係る連結部２２によって長尺ロープ２１とケーブル等とを連結し、前記布設具２０を収納材１０内部の案内路１２へ挿通させて、前記ケーブル等を「少なくとも２つの収納路１１」のそれぞれに布設することが可能となる。更に本請求項における収納材にあっては、支持部材１５を装着することにより、収納材１０を地中に埋設した際に、土圧によって収納材１０が圧潰してしまうことを防止することが可能となるものである。
【００３６】
請求項８に係る発明は、収納材１０と布設具２０とからなるケーブル・管布設装置であって、前記収納材１０は筒体からなり、当該筒体内部の長手方向に連設されてケーブル等を収納する複数の収納路１１と、これら複数の収納路１１へ前記ケーブル等を布設するための前記布設具２０を移動可能とする案内路１２と、この案内路１２の長手方向に沿って連続して形成された複数のスリット１３と、当該筒体の内部の長手方向に連続して設けられて、該収納材１０を地中に埋設した際に生じる土圧を支持する支持部材１５とを有し、前記複数の収納路１１のうち全ての収納路１１と前記案内路１２とは、各々の収納路毎に形成した１つのスリット１３を介して相互に連通しており、前記布設具２０は、前記案内路１２に挿通可能な剛性を有する長尺ロープ２１と、該ロープとケーブル等とを連結する連結部とを有することを特徴とするものである。
【００３７】
この請求項８に係る発明の「ケーブル・管布設装置１００」は、「収納材１０」と「布設具２０」とからなるものである。前記収納材１０は、その内部に「収納路１１」と「案内路１２」と、当該収納材１０を地中に埋設した際に生じる土圧を支持する「支持部材１５」とが形成されており、これら収納路１１と案内路１２とは、相互に「スリット１３」によって連通している。即ち、「案内路１２」の長手方向に亘って連続して「スリット１３」が形成され、当該「案内路１２」と複数の「収納路１１」の全てとを相互に連通させているのである。
【００３８】
一方「布設具２０」は、「長尺ロープ２１」と「連結部２２」とを有するものである。この連結部２２は、長尺ロープ２１の端部に設けられ、当該長尺ロープ２１とケーブル等とを相互に連結させるものである。すなわち、ケーブル等が連結された布設具２０を収納材１０の内部に挿通させた場合には、案内路１２内にある長尺ロープ２１と収納路１１内にあるケーブル等とが、スリット１３を介して連結されることとなる。そのため、この案内路１２内にある長尺ロープ２１を移動させた際には、それに伴って前記ケーブル等が収納路１１内において牽引されることとなるのである。
【００３９】
本請求項に係る発明によれば、布設具２０に係る連結部２２によって長尺ロープ２１とケーブル等とを連結し、前記布設具２０を収納材１０内部の案内路１２へ挿通させて、前記ケーブル等を「全ての収納路１１」のそれぞれに布設することが可能となる。更に本請求項における収納材にあっては、支持部材１５を装着することにより、収納材１０を地中に埋設した際に、土圧によって収納材１０が圧潰してしまうことを防止することが可能となるものである。
【００４０】
請求項９に係る発明は、請求項５から請求項８の何れかに記載のケーブル・管布設装置１００において、前記連結部２２は、１又は２以上の突片２３により構成され、この１又は２以上の突片２３は、前記収納材１０内部の案内路１２と収納路１１とを相互に連通して形成されたスリット１３に沿って移動することを特徴とするものである。
【００４１】
この請求項９に係る発明の「ケーブル・管布設装置１００」は、請求項５乃至請求項８に記載のケーブル・管布設装置１００における「布設具２０」を、更に詳細に表したものである。この布設具２０は、「長尺ロープ２１」と「連結部２２」とからなるものであって、当該連結部２２は、１又は２以上の「突片２３」により構成されるものである。
【００４２】
これら１又は２以上の突片２３は、収納材１０内部のスリット１３に進入した際には、その外端部が前記スリット１３を介して各々の「収納路１１」へ突出することとなる。そのため、「案内路１２」へ布設具２０を挿通させて移動させることによって、「突片２３」が「スリット１３」に沿って摺動するとともに、当該「突片２３」の外端部が「収納路１１」上に突出して移動することとなる。従って、前記複数の突片２３の外端部にケーブル等を連結させ、当該突片２３を備える布設具２０を案内路１２に挿通乃至移動させることにより、複数の「収納路１１」上に、それぞれケーブル等を引き込むことが可能となるのである。
【００４３】
請求項１０に係る発明は、請求項９に記載のケーブル・管布設装置１００において、前記布設具２０に係る連結部２２の突片２３は、収納材１０の内部に穿設されたスリット１３の数及び配置に対応させた数及び配置にて、立設することを特徴とするものである。
【００４４】
即ちこの請求項１０に係る発明によれば、布設具２０の外面に設けられた突片２３が、収納材１０に穿設された全てのスリット１３入り込むため、一度の布設作業で、案内路１２と連通する収納路１１の全てに対し、ケーブル等を布設することが可能となるのである。
【００４５】
請求項１１に係る発明は、請求項５から請求項９の何れかに記載のケーブル・管布設装置１００において、布設具２０の連結部２２は、長尺ロープ２１から着脱自在であることを特徴とするものである。
【００４６】
本請求項に係るケーブル・管布設装置１００における布設具２０は、その連結部２２に係る部分を長尺ロープ２１から自在に着脱することが可能となる。そのため、当該「連結部２２」を取り替えることでき、ケーブル等が布設される収納材１０の形態に対応させることが可能となるのである。
【００４７】
また、連結部２２に係る部分を、長尺ロープ２１から自在に着脱できることから、連結部２２を外した状態で長尺ロープ２１を案内路１２内へ挿通させることが可能となる。このとき、布設具２０は連結部２２を備えないことから、当該布設具２０と案内路１２との間に発生し得る摩擦抵抗を低減させることができる。従って、収納材１０の一端から挿通された長尺ロープ２１を、他端へ向けて容易に送出することが可能となる。その後、この他端へ送出された長尺ロープ２１に対しケーブル等が連結された連結部２２を装着して、長尺ロープ２１を引き込む（又は送り出す）ことにより連結部２２を移動させ、収納路１１へケーブル等を布設することが可能となるのである。
【００４８】
すなわち、本請求項に係る布設装置１００における布設具２０によれば、長尺ロープ２１から連結部２２が着脱自在に構成されているため、連結部２２を取り外して長尺ロープ２１のみを案内路１２内へ送出することにより、布設具２０自体を容易に挿通できるとともに、ケーブル等を布設する収納材１０の形態に合わせて突片２３の配置を変更することが可能となるのである。
【００４９】
【発明の実施の形態】
本発明を具体化した「収納材１０」並びに「布設装置１００」及び、これらを用いた「布設方法」について、以下、図１から図２３に従って説明する。
【００５０】
最初に「収納材１０」について説明する。この収納材１０というのは、請求項１乃至３に係る発明であって、これら各請求項に係る発明は、布設目的物であるケーブル等を収納する「収納路１１」と、後述する布設具２０を挿通させる「案内路１２」とを有しており、とりわけ、案内路１２と収納路１１とを「スリット１３」により連通させたことを特徴とするものである。そしてこの収納材１０は一般に、金属、コンクリート又は合成樹脂等により形成されるものである。
【００５１】
まず、「収納路１１」につき説明する。この収納路１１は、布設目的物であるケーブル等を収納するものである。そしてこの収納路１１は、後に詳述する「スリット１３」によって、「案内路１２」と相互に連通することとなる。
【００５２】
この収納路１１は、前記したようにケーブル等を収納することが可能であれば如何なる構造又は形状としてもよいが、具体的には、図１乃至図４に示すような構成を採ることが考えられる。即ち、金属、コンクリート又は合成樹脂等により形成した直方体又は円柱の内部に、その長手方向へ相互に貫通する複数本の空間を形成して「収納路１１」とすることが考えられる。
【００５３】
次に、「案内路１２」につき説明する。この案内路１２は、その内部へ「布設具２０」を挿通させるものである。そしてこの案内路１２は、後述する「スリット１３」によって、複数本の前記「収納路１１」と相互に連通することとなるものである。具体的には、図１乃至図４に示すように、複数の前記「収納路１１」の間に貫通孔を形成して構成することが考えられる。つまり、図１に示す収納材１０にあっては「案内路１２」の両脇に、複数の「収納路１１」配置して構成したものであり、図２乃至図４に示す収納材１０にあっては、「案内路１２」を中心として、複数の「収納路１１」を放射状に配置して構成したものである。
【００５４】
また、この「案内路１２」は、布設具２０を挿通させるのみならず、前記「収納路１１」の如く、布設目的物であるケーブル等を布設されるものとしてもよい。特に地中埋設用の収納材１０にあっては、一旦、ケーブル等の布設が完了した後には、当該収納材１０に対するケーブル等の布設を、二度と行わない場合もある。このような場合には、案内路１２にも収納路１１のようにケーブル等を引き込むことにより、更に多くのケーブル等の布設が可能となり、収納材１０内部の空間を、より一層有効に利用することが可能となるのである。
【００５５】
そして「スリット１３」につき説明する。このスリット１３は、前記「案内路１２」の長手方向に亘って連続して形成され、当該「案内路１２」と「収納路１１」とを相互に連通させ、後に詳述する別部材に係る「布設具２０」の端部に設けられた「連結部２２」（とりわけ「突片２３」）を移動可能とするものである。このとき「突片２３」は、その外端部が「スリット１３」を介して「収納路１１」へ突出することとなる。すなわち、前記「案内路１２」へ布設具２０を挿通して移動させた際には、前記「突片２３」は「スリット１３」に沿って摺動し、尚かつ、当該「突片２３」の外端部が「収納路１１」上を移動することとなる。
【００５６】
ここで、前記布設具２０に「複数の突片２３」を設けた場合には、これら各々の突片２３が、収納材１０における「スリット１３」へそれぞれ進入することとなる。そのため、複数の前記「突片２３」の外端部にケーブル等を連結させた上で布設具２０を挿通乃至移動させることにより、一度の布設作業で複数の前記「収納路１１」上にケーブル等を引き込むことが可能となるのである。
【００５７】
なお、この「スリット１３」は、長尺ロープ２１よりも幅狭で、且つ、前記連結部２２（特に「突片２３」）の厚みより幅広に形成することが好適と考えられる。
【００５８】
以下、「収納材１０」の実施例及び参考例を図面に従って説明する。
（参考例１）
図１は、参考例１に係る収納材１０を示すものである。本参考例に係る収納材１０は、合成樹脂等により形成した直方体の内部に、その長手方向へ相互に貫通する４本の空間を形成することによって複数の「収納路１１」を設け、これら４本の収納路１１のうち、２本の収納路１１の間に貫通孔を形成して「案内路１２」を設けている。そして、この「案内路１２」に対し、その長手方向に亘って連続する「スリット１３」を形成して、「案内路１２」と「収納路１１」とを相互に連通させている。前記「スリット１３」は、別部材に係る布設具２０に設けられた「突片２３」を移動させるものである。この「突片２３」に布設目的物であるケーブル等が連結され、当該突片２３を備える「布設具２０」を収納材１０における案内路１２に挿通させることにより、当該案内路１２の両側に配置された収納路１１へケーブル等を布設することが可能となるのである。本参考例に係る収納材１０へケーブル等を布設する際には、図１０に示すように、シャトル２６の外面の相対向する位置に２枚の突片２３を立設したものであって、複数の細い線材を編んだロープにて長尺ロープ２１を形成し、この長尺ロープ２１の端部に前記のシャトル２６を設けることによって構成したものを用いると好適である。
【００５９】
また、本参考例に係る収納材１０は、その断面を略矩形に形成しているため、収納材１０自体が転回してしまうことを防止できる。従って、複数の収納材１０を相互に連結し、収納路１１どうし或いは案内路１２どうしをそれぞれ連通させる際にも、その間でズレが生じてしまうことを防止できることとなるのである。
【００６０】
（参考例２）
図２は、参考例２に係る収納材１０を示すものである。本参考例に係る収納材１０は、合成樹脂等により形成した直方体の内部に、その長手方向へ相互に貫通する４本の空間を形成することによって複数の「収納路１１」を設け、これら４本の収納路１１の中心に貫通孔を形成して「案内路１２」を設けている。そして、この「案内路１２」と当該案内路１２を中心として放射状に配設された「収納路１１」の全てとを、相互に「スリット１３」によって連通させている。前記「スリット１３」は、別部材に係る布設具２０に設けられた「突片２３」を移動させるものである。この「突片２３」に布設目的物であるケーブル等が連結され、当該突片２３を備える「布設具２０」を収納材１０における案内路１２に挿通させることにより、当該案内路１２を中心として放射状に配置された収納路１１へケーブル等を布設することが可能となるのである。本参考例に係る収納材１０へケーブル等を布設する際には、図１１に示すように、シャトル２６の外面に対して角度９０°毎に４枚の突片２３を立設したものであって、複数の細い線材を編んだロープにて長尺ロープ２１を形成し、この長尺ロープ２１の端部に前記のシャトル２６を設けることによって構成したものを用いると好適である。
【００６１】
また、本参考例に係る収納材１０は、その断面を略矩形に形成しているため、収納材１０自体が転回してしまうことを防止できる。従って、複数の収納材１０を相互に連結し、収納路１１どうし或いは案内路１２どうしをそれぞれ連通させる際にも、その間でズレが生じてしまうことを防止できることとなるのである。
【００６２】
（参考例３）
図３は、参考例３に係る収納材１０を示すものである。本参考例に係る収納材１０は、合成樹脂等により形成した円柱体の内部に、その長手方向へ相互に貫通する４本の空間を形成することによって複数の「収納路１１」を設け、これら４本の収納路１１の中心に貫通孔を形成して「案内路１２」を設けている。そして、この「案内路１２」と当該案内路１２を中心として放射状に配設された「収納路１１」の全てとを、相互に「スリット１３」によって連通させている。前記「スリット１３」は、別部材に係る布設具２０に設けられた「突片２３」を移動させるものである。この「突片２３」に布設目的物であるケーブル等が連結され、当該突片２３を備える「布設具２０」を収納材１０における案内路１２に挿通させることにより、当該案内路１２を中心として放射状に配置された収納路１１へケーブル等を布設することが可能となるのである。本参考例に係る収納材１０へケーブル等を布設する際には、図１１に示すように、シャトル２６の外面に対して角度９０°毎に４枚の突片２３を立設したものであって、複数の細い線材を編んだロープにて長尺ロープ２１を形成し、この長尺ロープ２１の端部に前記のシャトル２６を設けることによって構成したものを用いると好適である。
【００６３】
なお、本参考例に係る収納材１０は、その断面が円形に形成しているため、当該収納材１０を地面や床面上に配置した際には、当該収納材１０自体が転回することもある。収納材１０が転回してしまうと、複数の収納材１０どうしを連結する際に、一方の収納材１０における収納路１１或いは案内路１２と、他方の収納材１０における収納路１１或いは案内路１２との間において、ズレが発生することとなる。そのため、本参考例に係る収納材１０の外周面、とりわけ、収納材１０における端部付近の外周面には、記号や模様を付すことが好適と考えられる。このように収納材１０の外周面に模様を付すことにより、収納路１１や案内路１２の位置関係などの収納材１０内部の情報を、当該収納材１０を配設する作業者に伝えることが可能となり、収納路１１や案内路１２を連通させることができ、確実に収納材１０どうしを連結させることが可能となるのである。
【００６４】
（実施例４）
図４は、実施例４に係る収納材１０を示すものである。本実施例に係る収納材１０は、合成樹脂等にて円筒を形成し、当該円筒の内周側面に合成樹脂にて形成した８枚の「仕切壁１４」を装着することにより収納路１１と案内路１２とを構成する。ここで、図４に示すように、前記「収納路１１」は、「案内路１２」を中心として放射状に配設されている。そして、この「案内路１２」と当該案内路１２を中心として放射状に配設された「収納路１１」の全てとを、相互に８本の「スリット１３」によって連通させている。本実施例において、収納路１１と案内路１２との間の「スリット１３」は、仕切壁１４どうしの隙間によって形成されるものである。当該「スリット１３」は、別部材に係る布設具２０に設けられた「突片２３」を移動させるものである。この「突片２３」に布設目的物であるケーブル等が連結され、当該突片２３を備える「布設具２０」を収納材１０における案内路１２に挿通させることにより、当該案内路１２を中心として放射状に配置された収納路１１へケーブル等を布設することが可能となるのである。本実施例に係る収納材１０へケーブル等を布設する際には、シャトル２６の外面に対して角度４５°毎に８枚の突片２３を立設したものであって、複数の細い線材を編んだロープにて長尺ロープ２１を形成し、この長尺ロープ２１の端部に前記のシャトル２６を設けることによって構成したものを用いると好適である。
【００６５】
なお、本実施例に係る収納材１０は、その断面が円形に形成しているため、当該収納材１０を地面や床面上に配置した際には、当該収納材１０自体が転回することもある。収納材１０が転回してしまうと、複数の収納材１０どうしを連結する際に、一方の収納材１０における収納路１１或いは案内路１２と、他方の収納材１０における収納路１１或いは案内路１２との間において、ズレが発生することとなる。そのため、本実施例に係る収納材１０の外周面、とりわけ、収納材１０における端部付近の外周面には、記号や模様を付すことが好適と考えられる。このように収納材１０の外周面に模様を付すことにより、収納路１１や案内路１２の位置関係などの収納材１０内部の情報を、当該収納材１０を配設する作業者に伝えることが可能となり、収納路１１や案内路１２を連通させることができ、確実に収納材１０どうしを連結させることが可能となるのである。
【００６６】
なお、本実施例に係る収納材１０は、図５乃至図８に示す断面形状のものとしてもよい。とりわけ、図６乃至図８に示す形態の収納材１０には、支持部材１５が装着されている。この支持部材１５を装着することにより、収納材１０を地中に埋設した際に、土圧によって収納材１０が圧潰してしまうことを防止することとなる。
【００６７】
まず、図５に示す形態の収納材１０は、その外周面の所定箇所に「溝」が形成されている。当該「溝」によって、収納路１１や案内路１２の位置関係などの収納材１０内部の情報を、当該収納材１０を配設する作業者に伝えることが可能となり、収納材１０どうしを確実に連結させることが可能となる。
【００６８】
次に、図６乃至図８に示す形態の収納材１０は、当該収納材１０自体の強度を向上させるべく、その内周側面に合成樹脂にて形成した支持部材１５が装着されている。そのため、図４乃至図５に示す形態のものに比して、前記収納材１０の内部がより細分化されることとなる。従って、これらの収納材１０へケーブル等を布設する際には、プレート状のシャトル２６の外面に２乃至３の突片２３を並設したものであって、複数の細い線材を編んだロープにて長尺ロープ２１を形成し、この長尺ロープ２１の端部に前記プレート状のシャトル２６を設けることによって構成したものを用いると好適である。
【００６９】
なお、図７に示す形態の収納材１０は、その内部に短寸に係る仕切壁１４が装着されているため、当該仕切壁１４どうしの隙間によって形成されるスリット１３の間隔が広くなり、１つのスリット１３が２つの収納路１１へと相互に連通することとなる。そのため、図９に示すように、１枚の突片２３がシャトル２６の外面に立設された布設具２０であっても、一度の布設作業で複数の収納路１１へケーブル等を布設することが可能となる。すなわち、図８に示すように、それぞれの収納路１１の方向へ突片２３を傾動させて案内路１２内を挿通させることにより、前記収納路１１のそれぞれに対してケーブル等を布設することが可能となるのである。また、前記１枚の突片２３に複数のケーブル等を連結し、当該１枚の突片２３を備える布設具２０を案内路１２内へ挿通させることにより、一度の布設作業で複数の収納路１１へケーブル等を布設することが可能となるのである。
【００７０】
さらに、上記円筒の内側に装着した仕切壁１４の寸法を上下左右でそれぞれ異なるものとしてもよい。すなわち、一方の仕切壁１４を長いものとし、他方の仕切壁１４を短いものとしてもよいのである。
【００７１】
次に「布設装置１００」につき説明する。本実施形態に係る「布設装置１００」は、上述の「収納材１０」と「布設具２０」との組み合わせからなるものである。「収納材１０」については既述したのでその説明は省略し、以下、布設具２０につき説明する。
【００７２】
この「布設具２０」は、「長尺ロープ２１」と「連結部２２」とからなるものであって、前記長尺ロープ２１の端部に連結部２２が一体又は別体で接続されている。
【００７３】
上記「長尺ロープ２１」は、それ自身の剛性により収納材１０内部の案内路１２内に連結部２２を送り込むものである。この長尺ロープ２１は、例えば剛線又は複数の細い線材を編んだロープや、合成樹脂を押出成形したロープを使用したり、或いは、合成樹脂繊維を堅く撚ったロープや、ＦＲＰ（繊維強化プラスチック）をロープ状に形成したもの、或いは、金属にて形成したワイヤー等を使用することが考えられる。特段、当該長尺ロープ２１の材質は限定されるものではない。
【００７４】
一方、「連結部２２」は、上記長尺ロープ２１の端部に設けられて、当該長尺ロープ２１とケーブル等とを相互に連結するものである。このような作用を奏するものであれば、どのような構成を採用してもよいが、具体的には、長尺ロープ２１端部に、案内路１２内を挿通させるシャトル２６を装着し、当該シャトル２６の外面に突片２３を立設することが考えられる。
【００７５】
上記シャトル２６は、前記「長尺ロープ２１」の端部に設けられて、当該「長尺ロープ２１」に押し出され又は引き込まれることにより、前記収納材１０における案内路１２の内側を挿通するものである。具体的には、シャトル２６の本体を紡錘形状に形成して、案内路１２内への挿通を抵抗なくスムースに行なうことが考えられるが、特段この形状に限定されるものではなく、円柱体や直方体、或いは、プレート状に係る形状のものとしてもよい。
【００７６】
また、このシャトル２６の外面には、１又は２以上の「突片２３」を立設することが好適と考えられる。当該「突片２３」は、布設目的物であるケーブル等が連結されるものであって、収納材１０の内側に形成された「スリット１３」上を摺動して移動するものである。そのため、当該突片２３は、収納材１０におけるスリット１３を通過できる厚みの板状に形成され、この板状に係る部材に「連結孔２４」を穿設することが考えられる。この連結孔２４は、布設目的物であるケーブル等と連結するものである。具体的には、当該連結孔２４内に紐材等を挿通して、当該紐材等とケーブル等とを繋ぐことによって布設具２０とケーブル等とを連結することが考えられる。尚、上記「シャトル２６」の外面に設けられる１又は２以上の「突片２３」の数量は特段限定されるものではないが、特に、収納材１０の内部に形成された案内路１２と収納路１１とを連通させる「スリット１３」と同数の突片２３を、シャトル２６の外面に立設することが好適と考えられる。スリット１３と同数の突片２３をシャトル２６の外面に立設し、これらの突片２３の全てにケーブル等を連結して、布設具２０を収納材１０内部へ挿通させることにより、一度の布設作業によって収納材１０の全てに対してケーブル等を布設することが可能となるからである。
【００７７】
一方、「シャトル２６」には突片２３を設けることなく、シャトル２６自体に連結孔２４を穿設してもよい。かかる構成の布設具２０は、案内路１２自体へケーブル等を布設する際に用いると、特に好適と考えられる。
【００７８】
また、長尺ロープ２１の端部に装着されたシャトル２６は、本発明においては必須の構成要件ではない。即ち、本発明における布設具２０は、長尺ロープ２１と布設目的物であるケーブル等とを連結し、尚かつ、収納材１０内部の案内路１２へ挿通させることを目的とするものである。そのため、上記の如く、長尺ロープ２１とケーブル等とを連結できて、布設具２０自体を案内路１２内へ挿通させることが可能であれば、シャトル２６は必ずしも必要ではない。具体的には、長尺ロープ２１の外面に突片２３を直接立設させ、当該突片２３にケーブル等を連結して、収納材１０内部の案内路１２へ挿通させることが考えられる。
【００７９】
さらに、布設具２０とケーブル等との連結は、紐材等によるものに限られず、突片２３自身が直接ケーブル等を保持する機能を備えたものであってもよく、更には、長尺ロープ２１にフック等を装着して当該フック等にてケーブル等を係止させるものとしてもよい。
【００８０】
さらに、シャトル２６に対し、案内路１２内面に当接するローラーを設けることによって、案内路１２内への布設具２０の挿通を更に容易にするものとしてもよい。
【００８１】
そして、上記布設具２０がケーブル等を布設する対象は、地中或いは壁体等へ埋設される「収納材１０」に何ら限定されるものではなく、図２３に示すように、壁面や天井等に設置される「ダクト」に対して、ケーブル等を布設するものとしてもよい。この「ダクト」は、図２３に示すように、鋼板等を曲げ加工することによって「収納路１１」と「案内路１２」とを作り出したもので、これら「収納路１１」と「案内路１２」との間は、「スリット１３」によって相互に連通している。この「スリット１３」上を突片２３が移動することにより、当該突片２３に連結されたケーブル等が収納路１１へ引き込まれて布設されることとなるのである。
【００８２】
以下、「布設具２０」の各実施例を図面に従って説明する。
（実施例５）
図１０は、実施例５に係る布設具２０を示すものである。本実施例に係る布設具２０は、シャトル２６の外面の相対向する位置に２枚の突片２３を立設したものであって、複数の細い線材を編んだロープにて長尺ロープ２１を形成し、この長尺ロープ２１の端部に前記のシャトル２６を設けることによって構成したものである。このシャトル２６の外面に立設された２枚の突片２３には、それぞれ連結孔２４が穿設されている。
【００８３】
本実施例に係る布設具２０によれば、一度の布設作業で２つの収納路１１へケーブル等を布設することが可能となる。すなわち、図１に示す収納材１０のように、布設具２０が挿通される「案内路１２」の両側へ配設された２つの「収納路１１」へも、一度の布設作業によってそれぞれケーブル等を布設することが可能となるのである。
【００８４】
（実施例６）
図１１は、実施例６に係る布設具２０を示すものである。本実施例に係る布設具２０は、シャトル２６の外面に対して角度９０°毎に４枚の突片２３を立設したものであって、複数の細い線材を編んだロープにて長尺ロープ２１を形成し、この長尺ロープ２１の端部に前記のシャトル２６を設けることによって構成したものである。このシャトル２６の外面に立設された４枚の突片２３には、それぞれ連結孔２４が穿設されている。
【００８５】
本実施例に係る布設具２０によれば、一度の布設作業で４つの収納路１１へケーブル等を布設することが可能となる。すなわち、図２乃至は図３に示す収納材１０のように、布設具２０が挿通される「案内路１２」を中心として放射状に配設された４つの「収納路１１」へも、一度の布設作業によってそれぞれケーブル等を布設することが可能となるのである。
【００８６】
（実施例７）
図１２は、実施例７に係る布設具２０を示すものである。本実施例に係る布設具２０は、「長尺ロープ２１」と「シャトル２６」とからなるものであって、当該シャトル２６は、「シャトル本体」と当該シャトル本体に着脱自在な「突片２３」とからなることを特徴とするものである。前記「長尺ロープ２１」は複数の細い線材を編んだロープにて形成し、このロープの端部に、前記した突片２３が着脱自在なシャトル２６を設けることによって、本実施例に係る布設具２０が構成される。シャトル本体と突片２３とは、相互に螺着することにより接合することが好適と考えられる。また「突片２３」には、それぞれ連結孔２４が穿設されている。
【００８７】
本実施例に係る布設具２０は、そのシャトル２６部分が「シャトル本体」と「突片２３」とに着脱が自在であるため、この「突片２３」に係る部分を取り替えることにより、ケーブル等が布設される収納材１０の形態に対応させることが可能となるのである。
【００８８】
また、「シャトル本体」と「突片２３」とに着脱が自在であることから、突片２３を取り外して「シャトル本体」のみで案内路１２内を挿通させる場合には、移動に伴う抵抗を低減させることが可能となる。そのため、収納材１０の一端から挿通されたシャトル本体を、他端へ向けて容易に送出することが可能となる。その後、この他端へ送出されたシャトル本体に対しケーブル等が連結された突片２３を装着し、長尺ロープ２１を引き込む（又は送り出す）ことによりシャトル２６を移動させ、収納路１１へケーブル等を布設することが可能となるのである。
【００８９】
そのため、本実施例に係る布設具２０によれば、シャトル本体と突片２３とが着脱自在に構成されているため、突片２３を取り外してシャトル本体のみを案内路１２内へ送出することにより、布設具２０自体を容易に挿通できるとともに、ケーブル等を布設する収納材１０の形態に合わせて突片２３の配置を変更することが可能となる。
【００９０】
そのため、本実施例に係る布設具２０によれば、図１に示す形態の収納材１０のように、布設具２０が挿通される「案内路１２」の両側へ配設された２つの「収納路１１」へ、一度の布設作業によってそれぞれケーブル等を布設することが可能となる。また、図２乃至は図３に示す形態の収納材１０のように、布設具２０が挿通される「案内路１２」を中心として放射状に配設された４つの「収納路１１」へも、一度の布設作業によってそれぞれケーブル等を布設することが可能となるのである。
【００９１】
（実施例８）
図１３は、実施例８に係る布設具２０を示すものである。本実施例に係る布設具２０は、「長尺ロープ２１」と「シャトル２６」とからなるものであって、このシャトル２６には突片２３を備えることなく、当該シャトル２６自体に連結孔２４を穿設して、ケーブル等を連結可能としたことを特徴とするものである。前記「長尺ロープ２１」は複数の細い線材を編んだロープにて形成し、このロープの端部に、前記の「突片２３を備えない」且つ「連結孔２４が穿設された」シャトル２６を設けることによって、本実施例に係る布設具２０が構成される。
【００９２】
本実施例に係る布設具２０は、案内路１２自体へケーブル等を布設する際に用いると、特に好適と考えられる。
【００９３】
また、図１０又は図１１に示す布設具２０に係るシャトル２６の先端部分に連結孔２４を穿設することにより、案内路１２内へ布設具２０を挿通させることにより収納路１１へケーブルとを布設すると同時に、前記案内路１２自体へもケーブル等を布設することとなるのである。
【００９４】
さらに、本実施例に係る布設具２０に係るシャトル２６に対し、図１２に示す布設具２０に係るシャトル２６の如く「着脱自在な突片２３」を挿着させることにより、図１乃至図３に示す収納材１０における収納路１１へケーブル等を布設することが可能となるとともに、突片２３を取り外すことにより、案内路１２へもケーブル等を布設することが可能となるのである。
【００９５】
続いて、「布設方法」につき説明する。本発明に係る「布設方法」は、布設目的物であるケーブル等を、「収納材１０」に対し「布設具２０」を用いてケーブル等を布設する方法であって、「案内路１２の長手方向に沿って連続するスリット１３を形成して案内路１２と複数の収納路１１とを相互に連通させるステップ」と、「前記スリット１３に沿って移動する突片２３にそれぞれケーブル等を連結するステップ」と、「前記突片２３を備えるシャトル２６を前記収納材１０における案内路１２の一端から挿通させた後に他端へと引き込むステップ」とからなるものである。尚、上記の「突片２３にケーブル等を連結するステップ」と「突片を備えるシャトル２６を引き込むステップ」の順序は、必ずしもこの順序に固定されるものではない。又、「収納材１０」及び「布設具２０」については既述したので該当するステップの説明を省略する。
【００９６】
以下、本発明に係る「布設方法」の具体的な実施例を、図面に基づき説明する。
最初に、上記収納材１０の収納路１１内に、布設具２０を使用してケーブルを布設する一の方法について説明する。尚、ここで述べる「布設方法」は、請求項１４に係る発明において、「ケーブル等を収納路１１に布設する」布設方法に相当するものである。
【００９７】
まず図１４に示すように、地中に設置された地中埋設函３１，３２に接続され、該地中埋設函３１，３２間に配設された収納材１０の一端側から案内路１２内に布設具２０を挿通し、シャトル２６を収納材１０の他端側まで送り出す。ここで図１４は、図３に示す収納材１０のＡ−Ａ断面を示すものであって、請求項１４に記載した「管・ケーブル収納材１０」の一実施例の断面を示したものである。
【００９８】
次いで図１６に示すように、収納材１０の他端側で、シャトル２６の突片２３の連結孔２４内を挿通させた紐材をケーブル等に繋いで、布設具２０とケーブル等とを連結する。尚、布設具２０とケーブル等との連結には、紐材の他、ケーブル等を挟持するネット状の引込材等を使用してもよく、使用する連結部材は何等限定されない。さらに、突片２３を有さず、シャトル２６自身に連結孔２４が穿設された布設具２０を使用した場合にあっては、スリット１３を通過できる紐材等の連結部材を使用し、スリット１３を介してケーブル等をシャトル２６の連結孔２４に連結させればよい。 次いで図１７に示すように、布設具２０のロープを引張ってシャトル２６を収納材１０の一端側に引き戻すことにより、ケーブル等を収納路１１内に引き込んだ後、布設具２０とケーブル等との連結を解除して、収納路１１内にケーブル等を布設する。
【００９９】
次に、上記収納材１０の収納路１１内に、布設具２０を使用してケーブル等を布設する別の方法について説明する。尚、ここで述べる「布設方法」は、請求項１５に係る発明において、「ケーブル等を引き込むための引き込みロープ２５等を収納路１１に布設する」布設方法に相当するものである。
【０１００】
この布設方法は、「案内路１２の長手方向に沿って連続するスリット１３を形成して案内路１２と複数の収納路１１とを相互に連通させるステップ」と、「前記スリット１３に沿って移動する突片２３にそれぞれ引き込みロープ２５を連結するステップ」と、「前記突片２３を備えるシャトル２６を前記収納材１０における案内路１２の一端から挿通させた後に他端へと引き込むステップ」と、「収納路１１内に引き込まれたロープをケーブル等に連結して前記収納路１１内に引き込むステップ」とを有するものである。尚、上記の「突片２３に引き込みロープ２５を連結するステップ」と「突片を備えるシャトル２６を引き込むステップ」の順序は、必ずしもこの順序に固定されるものではない。又、「収納材１０」及び「布設具２０」については既述したので該当するステップの説明を省略する。
【０１０１】
まず図１５に示すように、地中埋設函３１，３２間に配設された収納材１０の一端側から案内路１２内に布設具２０を挿通し、シャトル２６を収納材１０の他端側まで送り出す。
【０１０２】
次いで、図１８に示すように、収納材１０の他端側でシャトル２６の連結孔２４に「引き込みロープ２５」を連結し、図１９に示すように、布設具２０を収納材１０の一端側に引き戻すことにより、引き込みロープ２５を収納材１０の収納路１１内に引き込む。
【０１０３】
次いで、収納材１０の一端側（又は他端側）で、図２０に示すように、引き込まれた引き込みロープ２５にケーブル等を連結し、図２１に示すように、引き込みロープ２５を引張って収納材１０の他端側（又は一端側）に引き戻してケーブル等を収納路１１内に引き込んだ後、引き込みロープ２５とケーブル等との連結を解除してケーブル等を収納路１１に布設する。
【０１０４】
この引き込みロープ２５は、自身に剛性を有さず小径に巻回することが出来、ケーブル等を収納路１１内に引き込む際にかかる張力に耐え得る破断強度を備えたものが使用される。従って、この引き込みロープ２５を用いた場合、引き込みロープ２５を巻取式の牽引機等により容易に牽引することができるため、本発明の如く、一度に複数本のケーブル等を布設する場合や、重量の大きなケーブル等を布設する場合、さらに、長距離に渡る布設路間にケーブル等を布設する場合等、ケーブル等の布設に大きな引張力を必要とする場合においても容易にケーブル等を引き込んで布設することが可能となるのである。
【０１０５】
また、上記引き込みロープ２５を使用した布設方法において、引き込みロープ２５を収納路１１内に引き込むには、図２２に示すように、布設具２０に予め引き込みロープ２５を連結させた状態で布設具２０を案内路１２内に送り込むことにより、引き込みロープ２５を収納路１１内に掛け渡すこともできる。
【０１０６】
さらに、本発明に係る「ケーブル・管布設方法」によってケーブル等を布設する対象は、地中或いは壁体等へ埋設される「収納材１０」に何ら限定されるものではなく、図２３に示すように、壁面や天井等に設置される「ダクト」に対して、ケーブル等を布設するものとしてもよい。
【０１０７】
【発明の効果】
まず請求項１に係る発明は、ケーブル等の布設経路に配設されるケーブル・管収納材であって、当該収納材の内部の長手方向に連続して設けられて、前記ケーブル等を収納する複数の収納路と、これら複数の収納路へ前記ケーブル等を布設するための布設具を移動可能とする案内路と、この案内路の長手方向に沿って連続して形成された複数のスリットとを有し、前記複数の収納路のうち各々の収納路と前記案内路とは、それぞれ１つのスリットを介して相互に連通し、当該収納材は筒体からなり、前記収納路及び案内路は、当該筒体の内側面に設けた仕切壁によって構成してなることを、その構成上の特徴とするものである。
【０１０８】
そして、この請求項１に係る発明のケーブル・管収納材によれば、一度の布設作業で複数の前記「収納路」上にケーブル等を引き込むことが可能となるという効果を奏するのである。
【０１０９】
請求項２に係る発明は、ケーブル等の布設経路に配設されるケーブル・管収納材であって、当該収納材の内部の長手方向に連続して設けられて、前記ケーブル等を収納する複数の収納路と、これら複数の収納路へ前記ケーブル等を布設するための布設具を移動可能とする案内路と、この案内路の長手方向に沿って連続して形成された複数のスリットとを有し、前記複数の収納路のうち全ての収納路と前記案内路とは、各々の収納路毎に形成した１つのスリットを介して相互に連通し、当該収納材は筒体からなり、前記収納路及び案内路は、当該筒体の内側面に設けた仕切壁によって構成してなることを、その構成上の特徴とするものである。
【０１１０】
そして、この請求項２に係る発明のケーブル・管収納材によれば、一度の布設作業で全ての「収納路」上にケーブル等を引き込むことが可能となるという効果を奏するのである。
【０１１１】
請求項３に係る発明は、ケーブル等の布設経路に配設されるケーブル・管収納材であって、当該収納材の内部の長手方向に連続して設けられて、前記ケーブル等を収納する複数の収納路と、これら複数の収納路へ前記ケーブル等を布設するための布設具を移動可能とする案内路と、この案内路の長手方向に沿って連続して形成された複数のスリットとを有し、前記複数の収納路のうち各々の収納路と前記案内路とは、それぞれ１つのスリットを介して相互に連通し、当該収納材は筒体からなり、当該筒体の内部の長手方向に連続して設けられて、該収納材を地中に埋設した際に生じる土圧を支持する支持部材を設けたことを、その構成上の特徴とするものである。
【０１１２】
そして、この請求項３に係る発明のケーブル・管収納材によれば、一度の布設作業で複数の前記「収納路」上にケーブル等を引き込むことが可能となり、更には、支持部材１５を装着することにより、収納材１０を地中に埋設した際に、土圧によって収納材１０が圧潰してしまうことを防止することが可能となるという効果を奏するのである。
【０１１３】
請求項４に係る発明は、ケーブル等の布設経路に配設されるケーブル・管収納材であって、当該収納材の内部の長手方向に連続して設けられて、前記ケーブル等を収納する複数の収納路と、これら複数の収納路へ前記ケーブル等を布設するための布設具を移動可能とする案内路と、この案内路の長手方向に沿って連続して形成された複数のスリットとを有し、前記複数の収納路のうち全ての収納路と前記案内路とは、各々の収納路毎に形成した１つのスリットを介して相互に連通し、当該収納材は筒体からなり、当該筒体の内部の長手方向に連続して設けられて、該収納材を地中に埋設した際に生じる土圧を支持する支持部材を設けたことを、その構成上の特徴とするものである。
【０１１４】
そして、この請求項４に係る発明のケーブル・管収納材によれば、一度の布設作業で全ての「収納路」上にケーブル等を引き込むことが可能となり、更には、支持部材１５を装着することにより、収納材１０を地中に埋設した際に、土圧によって収納材１０が圧潰してしまうことを防止することが可能となるという効果を奏するのである。
【０１１５】
請求項５に係る発明は、収納材と布設具とからなるケーブル・管布設装置であって、前記収納材は筒体からなり、当該筒体内部の長手方向に連設されてケーブル等を収納する複数の収納路と、これら複数の収納路へ前記ケーブル等を布設するための前記布設具を移動可能とする案内路と、この案内路の長手方向に沿って連続して形成された複数のスリットとを有し、前記収納路及び案内路は、当該筒体の内側面に設けた仕切壁によって構成され、前記複数の収納路のうち各々の収納路と前記案内路とは、それぞれ１つのスリットを介して相互に連通しており、前記布設具は、前記案内路に挿通可能な剛性を有する長尺ロープと、該ロープとケーブル等とを連結する連結部とを有することを、その構成上の特徴とするものである。
【０１１６】
そして、この請求項５に係る発明の「ケーブル・管布設装置」によれば、布設具に係る連結部によって長尺ロープとケーブル等とを連結し、前記布設具を収納材内部の案内路へ挿通させて、前記ケーブル等を「少なくとも２つの収納路」のそれぞれに布設することが可能となるという効果を奏するのである。
【０１１７】
請求項６に係る発明は、収納材と布設具とからなるケーブル・管布設装置であって、前記収納材は筒体からなり、当該筒体内部の長手方向に連設されてケーブル等を収納する複数の収納路と、これら複数の収納路へ前記ケーブル等を布設するための前記布設具を移動可能とする案内路と、この案内路の長手方向に沿って連続して形成された複数のスリットとを有し、前記収納路及び案内路は、当該筒体の内側面に設けた仕切壁によって構成され、前記複数の収納路のうち全ての収納路と前記案内路とは、各々の収納路毎に形成した１つのスリットを介して相互に連通しており、前記布設具は、前記案内路に挿通可能な剛性を有する長尺ロープと、該ロープとケーブル等とを連結する連結部とを有することを、その構成上の特徴とするものである。
【０１１８】
そして、この請求項６に係る発明の「ケーブル・管布設装置」によれば、布設具に係る連結部によって長尺ロープとケーブル等とを連結し、前記布設具を収納材内部の案内路へ挿通させて、前記ケーブル等を「全ての収納路」のそれぞれに布設することが可能となるという効果を奏するのである。
【０１１９】
請求項７に係る発明は、収納材と布設具とからなるケーブル・管布設装置であって、前記収納材は筒体からなり、当該筒体内部の長手方向に連設されてケーブル等を収納する複数の収納路と、これら複数の収納路へ前記ケーブル等を布設するための前記布設具を移動可能とする案内路と、この案内路の長手方向に沿って連続して形成された複数のスリットと、当該筒体の内部の長手方向に連続して設けられて、該収納材を地中に埋設した際に生じる土圧を支持する支持部材とを有し、前記複数の収納路のうち各々の収納路と前記案内路とは、それぞれ１つのスリットを介して相互に連通しており、前記布設具は、前記案内路に挿通可能な剛性を有する長尺ロープと、該ロープとケーブル等とを連結する連結部とを有することを、その構成上の特徴とするものである。
【０１２０】
そして、この請求項７に係る発明の「ケーブル・管布設装置」によれば、布設具に係る連結部によって長尺ロープとケーブル等とを連結し、前記布設具を収納材内部の案内路へ挿通させて、前記ケーブル等を「少なくとも２つの収納路」のそれぞれに布設することが可能となり、布設することが可能となる。更に本請求項における収納材にあっては、支持部材１５を装着することにより、収納材１０を地中に埋設した際に、土圧によって収納材１０が圧潰してしまうことを防止することが可能となるという効果を奏するのである。
【０１２１】
請求項８に係る発明は、収納材と布設具とからなるケーブル・管布設装置であって、前記収納材は筒体からなり、当該筒体内部の長手方向に連設されてケーブル等を収納する複数の収納路と、これら複数の収納路へ前記ケーブル等を布設するための前記布設具を移動可能とする案内路と、この案内路の長手方向に沿って連続して形成された複数のスリットと、当該筒体の内部の長手方向に連続して設けられて、該収納材を地中に埋設した際に生じる土圧を支持する支持部材とを有し、前記複数の収納路のうち全ての収納路と前記案内路とは、各々の収納路毎に形成した１つのスリットを介して相互に連通しており、前記布設具は、前記案内路に挿通可能な剛性を有する長尺ロープと、該ロープとケーブル等とを連結する連結部とを有することを、その構成上の特徴とするものである。
【０１２２】
そして、この請求項８に係る発明の「ケーブル・管布設装置」によれば、布設具に係る連結部によって長尺ロープとケーブル等とを連結し、前記布設具を収納材内部の案内路へ挿通させて、前記ケーブル等を「全ての収納路」のそれぞれに布設することが可能となり、更に本請求項における収納材にあっては、支持部材１５を装着することにより、収納材１０を地中に埋設した際に、土圧によって収納材１０が圧潰してしまうことを防止することが可能となるという効果を奏するのである。
【０１２３】
請求項９に係る発明は、請求項５から請求項８の何れかに記載のケーブル・管布設装置において、前記連結部は、１又は２以上の突片により構成され、この１又は２以上の突片は、前記収納材内部の案内路と収納路とを相互に連通して形成されたスリットに沿って移動することを、その構成上の特徴とするものである。
【０１２４】
そして、この請求項９に係る発明の「ケーブル・管布設装置」によれば、１又は２以上の突片の外端部にケーブル等を連結させ、当該突片を備える布設具を案内路に挿通乃至移動させることにより、複数の「収納路」上に、それぞれケーブル等を引き込むことが可能となるという効果を奏するものである。
【０１２５】
請求項１０に係る発明は、請求項９に記載のケーブル・管布設装置において、前記布設具に係る連結部の突片は、収納材の内部に穿設されたスリットの数及び配置に対応させた数及び配置にて、立設することを、その構成上の特徴とするものである。
【０１２６】
そして、この請求項１０に係る発明によれば、布設具の外周に設けられた突片が、収納材に穿設された全てのスリット入り込むため、一度の布設作業で、案内路と連通する収納路の全てに対し、ケーブル等を布設することが可能となるという効果を奏するのである。
【０１２７】
請求項１１に係る発明は、請求項５から請求項９の何れかに記載のケーブル・管布設装置において、布設具の連結部は、長尺ロープから着脱自在であることを、その構成上の特徴とするものである。
【０１２８】
そして、この請求項１１に係る発明によれば、長尺ロープから連結部が着脱自在に構成されているため、連結部を取り外して長尺ロープのみを案内路内へ送出することにより、布設具自体を容易に挿通できるとともに、ケーブル等を布設する収納材の形態に合わせて突片の配置を変更することが可能となるという効果を奏するのである。
【図面の簡単な説明】
【図１】案内路１２の両側に、スリット１３を介して連通する２つの収納路１１を備えた収納材１０の斜視図である。
【図２】案内路１２を中心として放射状に配置された４つの収納路１１を備えた、断面略矩形状の収納材１０の斜視図である。
【図３】案内路１２を中心として放射状に配置された４つの収納路１１を備えた、断面略円形状の収納材１０の斜視図である。
【図４】円筒の内周側面に複数の仕切壁１４を装着することにより形成された収納路１１と案内路１２とスリット１３とを備えた収納材１０の斜視図である。
【図５】円筒の内周側面に複数の仕切壁１４及び支持部材１５を装着することにより形成された収納路１１と案内路１２とスリット１３とを備えた収納材１０の断面図である。
【図６】円筒の内周側面に複数の仕切壁１４及び支持部材１５を装着することにより形成された収納路１１と案内路１２とスリット１３とを備えた収納材１０の断面図である。
【図７】円筒の内周側面に複数の仕切壁１４及び支持部材１５を装着することにより形成された収納路１１と案内路１２とスリット１３とを備えた収納材１０の断面図である。
【図８】円筒の内周側面に複数の仕切壁１４及び支持部材１５を装着することにより形成された収納路１１と案内路１２とスリット１３とを備えた収納材１０の断面図である。
【図９】シャトル２６の外面に１枚の突片２３を立設した布設具２０の斜視図である。
【図１０】シャトル２６の外面の相対向する位置に２枚の突片２３を立設した布設具２０の斜視図である。
【図１１】シャトル２６の外面に対して角度９０°毎に４枚の突片２３を立設した布設具２０の斜視図である。
【図１２】シャトル本体と着脱自在な突片２３とからなるシャトル２６を備えた布設具２０の斜視図である。
【図１３】シャトル２６自体に連結孔２４が穿設された布設具２０の斜視図である。
【図１４】 図３に示す管・ケーブル収納材のＡ−Ａ線縦断面図である。
【図１５】 図３に示す管・ケーブル収納材の収納路内にケーブルを布設する方法を示す断面図である。
【図１６】 図３に示す管・ケーブル収納材の収納路内にケーブルを布設する方法を示す断面図である。
【図１７】 図３に示す管・ケーブル収納材の収納路内にケーブルを布設する方法を示す断面図である。
【図１８】 図３に示す管・ケーブル収納材の収納路内にケーブルを布設する方法を示す断面図である。
【図１９】 図３に示す管・ケーブル収納材の収納路内にケーブルを布設する方法を示す断面図である。
【図２０】 図３に示す管・ケーブル収納材の収納路内にケーブルを布設する方法を示す断面図である。
【図２１】 図３に示す管・ケーブル収納材の収納路内にケーブルを布設する方法を示す断面図である。
【図２２】 図３に示す管・ケーブル収納材の収納路内にケーブルを布設する方法を示す断面図である。
【図２３】鋼板等を曲げ加工して収納路１１と案内路１２とを形成したダクトに対し、布設具２０を挿通させてケーブル等を布設している内部状況を示す、部分断面図である。
【図２４】従来技術に係る収納材の斜視図である。
【図２５】従来技術に係る収納材の使用状態を示す図である。
【符号の説明】
１０  収納材
１１  収納路
１２  案内路
１３  スリット
１４  仕切壁
１５  支持部材
２０  布設具
２１  長尺ロープ
２２  連結手段
２３  突片
２４  連結孔
２５  引き込みロープ
２６  シャトル
３１  地中埋設函
３２  地中埋設函
【図１】
0003661033.tif 000002
【図２】
0003661033.tif 000003
【図３】
0003661033.tif 000004
【図４】
0003661033.tif 000005
【図５】
0003661033.tif 000006
【図６】
0003661033.tif 000007
【図７】
0003661033.tif 000008
【図８】
0003661033.tif 000009
【図９】
0003661033.tif 000010
【図１０】
0003661033.tif 000011
【図１１】
0003661033.tif 000012
【図１２】
0003661033.tif 000013
【図１３】
0003661033.tif 000014
【図１４】
0003661033.tif 000015
【図１５】
0003661033.tif 000016
【図１６】
0003661033.tif 000017
【図１７】
0003661033.tif 000018
【図１８】
0003661033.tif 000019
【図１９】
0003661033.tif 000020
【図２０】
0003661033.tif 000021
【図２１】
0003661033.tif 000022
【図２２】
0003661033.tif 000023
【図２３】
0003661033.tif 000024
【図２４】
0003661033.tif 000025
【図２５】
0003661033.tif 000026